(57)【要約】【課題】組立作業の負担を軽減し、部品点数や部品重量を低減することができる建具を提供する。【解決手段】建具１０は、枠状部材である框体３０と、この框体３０に設けられた嵌合部４２に装着される押縁４０との間に面材２８を保持する構成であって、嵌合部４２に装着され、框体３０と押縁４０との間に保持された面材２８の縁部の見付け面と対面配置されることで框体３０からの面材２８の落下を防止する落下防止金具４８を備える。この落下防止金具４８は、嵌合部４２に装着される取付部４８ｃと、取付部４８ｃが嵌合部４２に装着された状態で面材２８の縁部の見付け面と対面配置されるプレート部４８ａとを有する。【選択図】図５
2016000901.tif 000002
【特許請求の範囲】
【請求項１】
枠状部材と、該枠状部材に設けられた嵌合部に装着される押縁との間に面材を保持する建具であって、
前記嵌合部に装着され、前記枠状部材と前記押縁との間に保持された前記面材の縁部の見付け面と対面配置されることで前記枠状部材からの面材の落下を防止する落下防止金具を備えることを特徴とする建具。
【請求項２】
請求項１に記載の建具において、
前記落下防止金具は、前記嵌合部に装着される取付部と、該取付部が前記嵌合部に装着された状態で前記面材の縁部の見付け面と対面配置されるプレート部とを有することを特徴とする建具。
【請求項３】
請求項２に記載の建具において、
前記嵌合部には切欠部が設けられ、該切欠部に前記プレート部が配設されることを特徴とする建具。
【請求項４】
請求項１〜３のいずれか１項に記載の建具において、
前記押縁には前記落下防止金具との干渉を回避するための逃げ部が形成されていることを特徴とする建具。
【請求項５】
請求項１〜４のいずれか１項に記載の建具において、
建物の躯体の開口部に固定される枠体を備え、
前記枠状部材は、前記枠体の内側に支持され、その内側に前記面材を保持する框体であり、
前記押縁は、樹脂製であることを特徴とする建具。
【請求項６】
請求項５に記載の建具において、
前記枠体は、金属枠と、該金属枠の側部に組み合わされる樹脂枠とを備え、
前記押縁は、前記框体に設けられた前記嵌合部に対して前記樹脂枠側から装着されることで該框体と共に前記面材を保持することを特徴とする建具。
【発明の詳細な説明】
【技術分野】
【０００１】
本発明は、枠状部材の内側にガラス板等の面材を保持する建具に関する。
【背景技術】
【０００２】
店舗や住宅等の建物に設けられる窓では、框体に対して押縁を装着し、これら框体と押縁との間にガラス板等の面材を保持した障子を備えた建具が広く用いられている。また、開閉しない嵌め殺し窓の建具では、躯体の開口部に固定された枠体に対して押縁を装着して面材を保持する構成や、枠体の内側に障子を嵌め殺した構成もある。
【０００３】
押縁は、その断熱性能や色合い等を考慮して樹脂材料で形成される場合がある。ところが、樹脂製の押縁は火炎の熱によって軟化し或いは焼失するため、火災時に面材を保持できず落下させてしまう懸念がある。特に、押縁だけでなく、框体や枠体の全部又は一部が樹脂製の建具では、火災時の面材の保持が一層難しい。
【０００４】
そこで、本出願人は特許文献１において、樹脂製の框体に金属製の固定部材を取り付け、この固定部材と係合する金属製の係合部材を樹脂製の押縁に取り付けた構成からなる建具を提案している。互いに係合される固定部材と係合部材とは、火災時に面材の脱落を防止する脱落防止金具として機能するものである。
【先行技術文献】
【特許文献】
【０００５】
【特許文献１】特許第５０７９７３７号公報
【発明の概要】
【発明が解決しようとする課題】
【０００６】
ところで、上記特許文献１の構成では、框体に固定部材を先付け固定しておき、押縁に係合させた係合部材を先付け固定した固定部材に対して係合させる必要がある。従って、框体に固定部材の取付用の加工を施す必要があり、建具の組立作業の工数も多くなる。また、脱落防止金具が２部品で構成されている。従って、このような建具では、組立作業の負担をより軽減でき、さらに部品点数や部品重量をより低減できる構成が求められている。
【０００７】
本発明は、上記従来技術の課題を考慮してなされたものであり、組立作業の負担を軽減し、部品点数や部品重量を低減することができる建具を提供することを目的とする。
【課題を解決するための手段】
【０００８】
本発明に係る建具は、枠状部材と、該枠状部材に設けられた嵌合部に装着される押縁との間に面材を保持する建具であって、前記嵌合部に装着され、前記枠状部材と前記押縁との間に保持された前記面材の縁部の見付け面と対面配置されることで前記枠状部材からの面材の落下を防止する落下防止金具を備えることを特徴とする。
【０００９】
このような構成によれば、押縁の装着用の嵌合部を兼用して脱落防止金具を框体や枠体等の枠状部材に装着する。これにより、枠状部材の嵌合部に脱落防止金具を装着するだけで建具に防火構造を付与することができるため、枠状部材に対して面倒な事前加工や事前の部品取付けが不要となり、建具の組立作業の負担を軽減することができる。また、脱落防止金具は一部品で構成されており、枠状部材に部品を追加する必要もないため、部品点数や部品重量を低減することができる。
【００１０】
本発明に係る建具において、前記落下防止金具は、前記嵌合部に装着される取付部と、該取付部が前記嵌合部に装着された状態で前記面材の縁部の見付け面と対面配置されるプレート部とを有する構成としてもよい。これにより、プレート部で面材の落下を確実に阻止することができる。
【００１１】
本発明に係る建具において、前記嵌合部には切欠部が設けられ、該切欠部に前記プレート部が配設されると、プレート部を面材の縁部の見付け面に対して可及的に近接配置できるため、面材の脱落をより効果的に防止できる。
【００１２】
本発明に係る建具において、前記押縁には前記落下防止金具との干渉を回避するための逃げ部が形成されていてもよい。そうすると、押縁と落下防止金具とが互いに干渉することを防止でき、両者を枠状部材に対してより安定して装着することができる。
【００１３】
本発明に係る建具において、建物の躯体の開口部に固定される枠体を備え、前記枠状部材は、前記枠体の内側に支持され、その内側に前記面材を保持する框体であり、前記押縁は、樹脂製であってもよい。このような樹脂製の押縁を用いた構成であっても、押縁の装着用の嵌合部を利用して脱落防止金具を装着することにより、火災時に押縁が軟化し或いは焼失した場合であっても面材を保持しておくことができる。
【００１４】
本発明に係る建具において、前記枠体は、金属枠と、該金属枠の側部に組み合わされる樹脂枠とを備え、前記押縁は、前記框体に設けられた前記嵌合部に対して前記樹脂枠側から装着されることで該框体と共に前記面材を保持する構成であってもよい。
【発明の効果】
【００１５】
本発明によれば、枠状部材に対して面倒な事前加工や事前の部品取付けを施すことなく脱落防止金具を装着することができるため、建具の組立作業の負担を軽減することができる。また、脱落防止金具は一部品で構成されており、枠状部材に部品を追加する必要もないため、部品点数や部品重量を低減することができる。
【図面の簡単な説明】
【００１６】
【図１】図１は、本発明の一実施形態に係る建具の縦断面図である。
【図２】図２は、図１に示す建具の横断面図である。
【図３】図３は、脱落防止金具の框体への取付構造を説明する斜視図である。
【図４】図４は、図３に示す脱落防止金具を別の角度から見た斜視図である。
【図５】図５は、脱落防止金具及び押縁を框体の嵌合部に装着する状態を説明する斜視図である。
【図６】図６は、図５に示す状態を別の角度から見た斜視図である。
【図７】図７は、脱落防止金具を装着した嵌合部に対して押縁を装着する状態を説明する斜視図である。
【図８】図８は、図７に示す状態から押縁の装着を完了した状態を示す斜視図である。
【図９】図９は、脱落防止金具及び押縁を框体の嵌合部に装着する状態の説明図であり、図９（Ａ）は、側面断面図であり、図９（Ｂ）は、平面図である。
【図１０】図１０は、図９に示す状態から脱落防止金具及び押縁の装着を完了した状態の説明図であり、図１０（Ａ）は、側面断面図であり、図１０（Ｂ）は、平面図である。
【発明を実施するための形態】
【００１７】
以下、本発明に係る建具について好適な実施の形態を挙げ、添付の図面を参照しながら詳細に説明する。
【００１８】
図１は、本発明の一実施形態に係る建具１０の縦断面図であり、図２は、図１に示す建具１０の横断面図である。
【００１９】
図１及び図２に示すように、建具１０は、建物の躯体１２の開口部１２ａに固定される枠体１４と、枠体１４の内側に開閉可能に支持される障子１６とを備える。本実施形態では、枠体１４に対して障子１６を縦すべり出し可能に組み付けた縦すべり出し窓の建具１０を例示する。
【００２０】
枠体１４は、上枠１４ａと、下枠１４ｂと、左右の縦枠１４ｃ，１４ｃとを四周枠組みすることで矩形の開口部を形成したものである。本実施形態では枠体１４として、室外側に配設される金属枠１８と、室内側に配設される樹脂枠２０とを組み合わせた構成からなる複合サッシ（アルミ樹脂複合サッシ）を用いている。金属枠１８は、アルミニウム等の金属の押出形材である。樹脂枠２０は、塩化ビニル樹脂（ＰＶＣ）等の樹脂の押出形材である。
【００２１】
上枠１４ａは、金属枠１８の上枠部１８ａと樹脂枠２０の上枠部２０ａとを互いに組み付けたものである。下枠１４ｂは、金属枠１８の下枠部１８ｂと樹脂枠２０の下枠部２０ｂとを互いに組み付けたものである。縦枠１４ｃは、金属枠１８の縦枠部１８ｃと樹脂枠２０の縦枠部２０ｃとを互いに組み付けたものである。上枠部１８ａ，２０ａ、下枠部１８ｂ，２０ｂ及び縦枠部１８ｃ，２０ｃは、それぞれ固定ねじ２１を用いて躯体１２に固定される。
【００２２】
上枠１４ａは、図１に示すように、見込み面に障子１６が配置される障子配置部２２を有し、障子配置部２２よりも室内側となる部分に突出部２４が設けられている。上枠１４ａの障子配置部２２の室内側鉛直面には、加熱されると膨張する熱膨張性部材２５が設けられている。熱膨張性部材２５は、熱により膨張する不燃性又は難燃性の部材であればよく、例えば、熱膨張性の黒鉛である。図１及び図２に示すように、障子配置部２２、突出部２４及び熱膨張性部材２５は、下枠１４ｂ及び縦枠１４ｃにも設けられている。
【００２３】
上枠１４ａの突出部２４と下枠１４ｂの突出部２４との間には網戸２６が配設されている。また、下枠１４ｂの突出部２４には、障子１６を開閉操作する際に操作するオペレータハンドル２７が配設されている。本実施形態では、障子配置部２２は金属枠１８部分に設け、突出部２４は樹脂枠２０部分に設けている。
【００２４】
障子１６は、内側に配設される面材２８と、面材２８の四周縁部を囲む框体（枠状部材）３０となる上框３０ａ、下框３０ｂ及び左右の縦框３０ｃ，３０ｃとを框組みして構成したものである。
【００２５】
面材２８は、スペーサ３２を介して一対のガラス板３３，３４を互いに間隔を隔てて対面配置した２層の複層ガラスである。本実施形態の場合、室外側に配置されるガラス板３３は、網入りの厚板ガラスとし、室内側に配置されるガラス板３４は、薄板ガラスとしている。
【００２６】
上框３０ａ、下框３０ｂ及び縦框３０ｃは、アルミニウム等の金属の押出形材である。
【００２７】
上框３０ａは、図１に示すように、見込み面に面材２８が配置される面材配置部３６を有する。面材配置部３６よりも室外側となる部分に保持片３８が設けられ、面材配置部３６の室内側端部には押縁４０を装着するための溝状の嵌合部４２が長手方向に延在形成されている。上框３０ａの面材配置部３６には熱膨張性部材２５が設けられている。熱膨張性部材２５は、保持片３８の反対側に突出した部分にも設けられている。図１及び図２に示すように、面材配置部３６、保持片３８、嵌合部４２及び熱膨張性部材２５は、下框３０ｂ及び縦框３０ｃにも設けられている。
【００２８】
障子１６は、框体３０の面材配置部３６に面材２８が装着された後、その室内側の嵌合部４２に押縁４０を装着することで保持片３８と押縁４０との間に面材２８が保持される。この際、下框３０ｂ及び一方の縦框３０ｃの面材配置部３６では、セッティングブロック４４を介して面材２８の端面が支持され、各框３０ａ〜３０ｃの保持片３８とガラス板３３の縁部の室外側見付け面との間が接着剤４５によって接着固定される。
【００２９】
このように構成された障子１６が枠体１４の障子配置部２２に装着されると、上枠１４ａと上框３０ａとの間及び下枠１４ｂと下框３０ｂとの間がそれぞれアーム４６によって連結される。これにより、障子１６はアーム４６の支持作用下に開閉可能な状態で枠体１４の内側に配設される。
【００３０】
障子１６では、押縁４０を樹脂枠２０と同様に塩化ビニル樹脂（ＰＶＣ）等の樹脂の押出形材で構成している。そのため、火災等の熱を受けて押縁４０が軟化し或いは焼失すると框体３０から面材２８が脱落する懸念がある。そこで、本実施形態に係る建具１０では、框体３０と押縁４０との間に保持された面材２８の縁部の室内側見付け面と対面配置されることで框体３０からの面材２８の落下を防止する脱落防止金具４８を設けている。
【００３１】
次に、脱落防止金具４８の構成及びその取付構造について順に説明する。
【００３２】
図３は、脱落防止金具４８の框体３０への取付構造を説明する斜視図であり、図４は、図３に示す脱落防止金具４８を別の角度から見た斜視図である。
【００３３】
図３及び図４に示すように、脱落防止金具４８は、ステンレスやスチール等の金属板を屈曲変形させると共に両端を切り起こした形状であり、框体３０の嵌合部４２に装着される。脱落防止金具４８は、嵌合部４２に装着された状態で押縁４０によって覆われるため、通常は建具１０の外観上に露出しない（図１及び図２参照）。本実施形態では、上框３０ａ及び左右の縦框３０ｃ，３０ｃに脱落防止金具４８を設置した構成を例示しているが、脱落防止金具４８は下框３０ｂに設置してもよく、その設置箇所は適宜変更可能である。
【００３４】
脱落防止金具４８は、プレート部４８ａと、プレート部４８ａの基端から屈曲された取付面部４８ｂと、取付面部４８ｂの両端を切り起こして屈曲させることで板ばね状に形成した一対の取付部４８ｃ，４８ｃとを有し、断面略Ｌ字形状である。
【００３５】
プレート部４８ａは、面材２８を構成するガラス板３４の縁部の見付け面と対面配置される比較的面積の大きなプレートである。プレート部４８ａは、火災時にガラス板３４を受け止めて面材２８の脱落を阻止する部分である（図７及び図１０（Ａ）も参照）。取付面部４８ｂは、框体３０の嵌合部４２に挿入されると共に、嵌合部４２の見付け面に着地することで当該脱落防止金具４８の安定した取付状態を維持する部分である（図７及び図１０（Ａ）も参照）。各取付部４８ｃは、取付面部４８ｂからプレート部４８ａに向かって斜めに切り起こされると共に、その先端がプレート部４８ａに直交する方向に屈曲されている。各取付部４８ｃは、框体３０の嵌合部４２に挿入されて弾性変形されることにより、弾性力を持って嵌合部４２に嵌合する部分である（図７及び図１０（Ａ）も参照）。
【００３６】
図５は、脱落防止金具４８及び押縁４０を框体３０（ここでは縦框３０ｃ）の嵌合部４２に装着する状態を説明する斜視図であり、図６は、図５に示す状態を別の角度から見た斜視図である。図７は、脱落防止金具４８を装着した嵌合部４２に対して押縁４０を装着する状態を説明する斜視図であり、図８は、図７に示す状態から押縁４０の装着を完了した状態を示す斜視図である。また、図９は、図５及び図６に示す状態の側面断面図及び平面図であり、図１０は、図８に示す状態の側面断面図及び平面図である。図９（Ｂ）及び図１０（Ｂ）では面材２８の図示を省略している。
【００３７】
図５及び図７に示すように、脱落防止金具４８が設置される縦框３０ｃの嵌合部４２は、一対の帯板４２ａ，４２ｂ間に形成され、押縁４０の取付片４０ａ及び脱落防止金具４８の取付部４８ｃを嵌合可能な溝部である。面材２８側の帯板４２ａには、脱落防止金具４８のプレート部４８ａを挿入可能な長さ寸法を有する切欠部４２ｃが形成されている。切欠部４２ｃは、脱落防止金具４８が設置される上框３０ａにも設けられている。
【００３８】
脱落防止金具４８及び押縁４０を縦框３０ｃに取り付ける場合には、先ず、図５、図６及び図９（Ａ）に示すように、縦框３０ｃの面材配置部３６に面材２８を装着し、面材２８の縁部の室外側見付け面を保持片３８で支えた状態とする。
【００３９】
次に、図９（Ａ）中に破線で示す脱落防止金具４８のように、脱落防止金具４８を室外側に傾けてプレート部４８ａを切欠部４２ｃに挿入すると共に各取付部４８ｃの先端を切欠部４２ｃから外れた位置で嵌合部４２に挿入する（図３、図７、図９（Ｂ）も参照）。そして、脱落防止金具４８を室内側に傾けてプレート部４８ａが面材２８の見付け面と平行する程度の姿勢まで起こす。これにより、図７、図１０（Ａ）及び図１０（Ｂ）に示すように、脱落防止金具４８が嵌合部４２に装着される。この装着状態では、プレート部４８ａが切欠部４２ｃを通過して面材２８と平行するように対面し、取付部４８ｃが嵌合部４２内で弾性力を持って嵌合している。
【００４０】
続いて、図８、図１０（Ａ）及び図１０（Ｂ）に示すように、嵌合部４２に対して押縁４０の取付片４０ａを嵌合させる。これにより、押縁４０と保持片３８との間に面材２８が保持され、さらに押縁４０の内側に脱落防止金具４８が隠される。なお、図６、図９及び図１０に示すように、押縁４０の取付片４０ａには切欠き状の逃げ部４０ｂが設けられている。逃げ部４０ｂは脱落防止金具４８を跨ぐことができる寸法である。これにより、嵌合部４２に脱落防止金具４８が装着されていても、脱落防止金具４８と干渉することなく押縁４０を嵌合部４２に装着することができる。
【００４１】
以上のように、本実施形態に係る建具１０によれば、枠状部材である框体３０の保持片３８と、框体３０に設けられた嵌合部４２に装着される押縁４０との間に面材２８を保持する構成において、嵌合部４２に装着され、面材２８の縁部の見付け面と対面配置されることで框体３０からの面材２８の落下を防止する落下防止金具４８を備える。
【００４２】
このように、建具１０では、押縁４０の装着用の嵌合部４２を兼用して脱落防止金具４８を框体３０に装着する。これにより、框体３０の嵌合部４２に脱落防止金具４８を装着するだけで建具１０に防火構造を付与することができるため、框体３０に対して面倒な事前加工や事前の部品取付けが不要となり、建具１０の組立作業の負担を軽減することができる。また、脱落防止金具４８は一部品で構成されており、框体３０に部品を追加する必要もないため、部品点数や部品重量を低減することができ、コストも低減できる。
【００４３】
また、建具１０では、面材２８のエッジ部分からずれた位置にある押縁４０の装着用の嵌合部４２を用いて脱落防止金具４８を装着するため、ガラス板３３，３４のエッジクリアランス部分に脱落防止金具４８やその装着用の部材等が配置されない。これにより、火災によって面材２８が加熱されて伸長した場合に、ガラス板３３，３４のエッジが脱落防止金具４８や前記部材等に干渉しないため、ガラス割れのリスクを低減できる。
【００４４】
なお、図１、図２、図９及び図１０に示すように、脱落防止金具４８及び押縁４０とは反対側（室外側）で面材２８の縁部の見付け面を保持する保持片３８は、框体３０の他の部位よりも肉厚の大きな構造を採用している。このため、保持片３８側に脱落防止金具を設けることなく、該保持片３８と脱落防止金具４８とで火災時の面材２８の脱落をより確実に防止することができる。
【００４５】
当該建具１０では、嵌合部４２は切欠部４２ｃを設け、該切欠部４２ｃに脱落防止金具４８のプレート部４８ａが配設される構成としている。これにより、プレート部４８ａをガラス板３４の見付け面に対して可及的に近接配置できるため、面材２８の脱落をより効果的に防止できる。
【００４６】
当該建具１０では、押縁４０に落下防止金具４８との干渉を回避するための逃げ部４０ｂを形成している。これにより、押縁４０と落下防止金具４８とが互いに干渉することを防止でき、両者を框体３０により安定して装着することができる。
【００４７】
なお、本発明は、上記した実施形態に限定されるものではなく、本発明の主旨を逸脱しない範囲で自由に変更できることは勿論である。
【００４８】
例えば、上記実施形態では金属枠１８と樹脂枠２０とで枠体１４を構成した複合サッシである建具１０を例示したが、枠体１４は金属枠１８のみ又は樹脂枠２０のみで構成される金属サッシ（アルミサッシ）又は樹脂サッシでもよい。
【００４９】
上記実施形態では、縦すべり出し窓の建具１０を例示したが、本発明は他の開閉窓、例えば引違い窓やすべり出し窓等、さらには嵌め殺し窓にも利用可能である。なお、嵌め殺し窓の建具の場合には、建物の躯体１２の開口部１２ａに固定される枠状部材である枠体１４の内側に框体３０を介することなく面材２８が直接的に固定される場合もある。そこで、この構成の場合には、枠体１４に押縁４０の装着用の嵌合部４２が設けられることになるため、脱落防止金具４８はこの嵌合部４２に装着すればよい。
【符号の説明】
【００５０】
１０  建具、１２  躯体、１２ａ  開口部、１４  枠体、１４ａ  上枠、１４ｂ  下枠、１４ｃ  縦枠、１６  障子、１８  金属枠、２０  樹脂枠、２８  面材、３０  框体、３０ａ  上框、３０ｂ  下框、３０ｃ  縦框、３３，３４  ガラス板、３８  保持片、４０  押縁、４０ｂ  逃げ部、４２  嵌合部、４２ｃ  切欠部、４８  脱落防止金具、４８ａ  プレート部、４８ｂ  取付面部、４８ｃ  取付部
【図１】
2016000901.tif 000003
【図２】
2016000901.tif 000004
【図３】
2016000901.tif 000005
【図４】
2016000901.tif 000006
【図５】
2016000901.tif 000007
【図６】
2016000901.tif 000008
【図７】
2016000901.tif 000009
【図８】
2016000901.tif 000010
【図９】
2016000901.tif 000011
【図１０】
2016000901.tif 000012